(57)【特許請求の範囲】
【請求項１】
ウェブの両端にフランジを有する断面Ｕ字形鋼材の両端に、ウェブと平行な腕部と左右非対称の継手が設けられたハット形鋼材の継手どうしを結合してなる連続壁が二重に形成された遮水構造であって、それぞれの連続壁はウェブどうしが重なるように形成され、かつ前記二重壁内に柔な遮水材が充填され、さらに該二重壁内に外側と内側の継手部を隔てる邪魔板が配置されてなることを特徴とする遮水構造。
【請求項２】
ウェブの両端にフランジを有する断面Ｕ字形鋼材の両端に、ウェブと平行な腕部と左右非対称の継手が設けられたハット形鋼材の継手どうしを結合してなる連続壁が二重に形成された遮水構造であって、それぞれの連続壁はハット形鋼材間に間隙を有するように形成され、かつ前記二重壁内に柔な遮水材が充填され、さらに該二重壁内に外側と内側の継手部を隔てる邪魔板が配置されてなることを特徴とする遮水構造。
【請求項３】
所定間隔をおいて並べて配置された複数の鋼管と、該鋼管の並列方向に対する両側に配置される鋼材とからなり、前記鋼材による連続壁が二重に形成された遮水構造であって、前記鋼材の両端に設けられた継手と前記鋼管うち少なくとも一部の鋼管の前記並列方向に対する両側に設けた継手とが結合されており、前記鋼材と前記鋼管とによって形成された閉領域に柔な遮水材が充填されてなることを特徴とする遮水構造。
【請求項４】
前記鋼材と前記鋼管とによって形成された閉領域に、さらに二重壁の外側と内側の継手部を隔てる邪魔板が配置されてなることを特徴とする請求項３記載の遮水構造。
【請求項５】
邪魔板によって隔てられた一方の側に空洞部が形成されてなることを特徴とする請求項１、２または４記載の遮水構造。
【請求項６】
空洞部は挿入された中空の管であることを特徴とする請求項５記載の遮水構造。
【発明の詳細な説明】
【０００１】
【発明の属する技術分野】
本願発明は、水中または地中に構築される遮水構造に関し、例えば、廃棄物処分場などの廃棄物を取り扱う施設において、何らかの理由で地中に有害な物質が含まれ、それが地下水や海水の流れとともにその部位から流出・拡散するおそれがある場合に、これを防ぐための連続壁として構築されるものである。
【０００２】
【従来の技術】
一般に、地中連続壁といった名称で地中に構築される構造物として、例えばＲＣ構造の地中連続壁を構築するもの、ソイルセメントを連続して形成し、その中にＨ形鋼などの鋼材を挿入するもの、鋼矢板を連接して建て込んで鋼製壁体を形成するもの、Ｈ形または箱形などの鋼矢板を建て込む地中壁体構築用鋼製パネル（以下、「鋼製パネル」という）と呼ばれるもの、さらにそのＨ形または箱形の閉鎖空間にモルタルやコンクリート等の固化材を充填して壁体の曲げ剛性を向上させたもの、そして鋼管矢板を連接して打ち込んで壁構造とするもの等が知られている。
【０００３】
これらの構造物は元来、地盤を掘削する際の周囲地盤の崩壊を防止する土留め壁や地中連続壁などとして取り扱われているもので、使われ方に対する強度・剛性を碓保することが目的で、遮水という側面からは工事に支障を生じない程度という意味で十分なものであった。
【０００４】
ところで近年、廃棄物中に生物や人体にとって有害な物質が含まれていることが明らかになるにつれ、既存の廃棄物処理地や廃棄物処分場に対して遮水性を考慮した構造が従来の構造に対して順次開発されてきている。
【０００５】
具体的には、地中に連続壁として打ち込まれた鋼管矢板の継手部に遮水用のモルタルやアスファルト等の固化材を充填するもの、鋼矢板の継手部に膨潤材を塗布するもの、上記鋼製パネルにソイルセメント系固化遮水材またはアスファルト系固化遮水材を充填するもの、さらに鋼矢板の継手部にアングル材や溝形鋼を取り付け、固化遮水材または膨潤型遮水材を充填するもの等である。
【０００６】
図４は、廃棄物埋立処分場における遮水構造の施工例を示し、図において符号９は海岸・海中などに護岸として構築されたケーソン堤であり、ケーソン堤９は予め所定の厚さに敷き詰められた基礎捨石１０の上に構築されている。
【０００７】
また、符号１１はケーソン堤９の内陸側にケーソン堤９から離れた位置に構築された遮水構造であり、遮水構造１１は予め造成された改良地盤１２を貫通し、その下側の不透水性層１３まで連続して構築され、その先端は不透水性層１３内に所定深さ根入れされている。
【０００８】
また、符号１４と１５はそれぞれ、ケーソン堤９前部の海底の浸食を防止するために敷き詰められた被覆石と根固めブロック、１６はケーソン堤９と遮水構造１１との間に充填された裏込め石、１７は裏込め石１６の上に敷設された砂防シート、そして符号１８は遮水構造１１の内陸側（内側）に充填された捨石などである。
【０００９】
また、図５〜図８は上述した遮水構造１１に用いられた鋼製矢板壁を示したものであり、その概要を順次示す。
【００１０】
図５は、壁体として地中に連接して打ち込まれた鋼管矢板１９どうしの継手部イにモルタル等（図省略）を充填して構築された鋼管矢板壁であり、また図６は壁体として地中に連接して打ち込まれたＵ形鋼矢板２０どうしの継手部イに膨張材（図省略）を施した鋼矢板壁であり、そして図７は、二枚の直線矢板２１，２１に鋼板２２を溶接して平面ほぼＨ形状の組合せ鋼矢板を形成し、その閉領域ａ内にモルタル等２３を充填した組み合わせ鋼矢板壁である。
【００１１】
さらに、この他としては、例えば図８（ａ），（ｂ）に図示するように、両端に通常の対象継手２０ａを有するＵ形鋼矢板２０，２０どうしの継手部イの近傍にＬ形の鋼材２４を溶着し、その空間部にモルタル等２３を充填したＵ形鋼矢板壁などがある。
【００１２】
【発明が解決しようとする課題】
従来の遮水構造などにおいて、継手部に用いられる膨潤性遮水材を塗布する遮水方法については、室内試験や深度の浅い模擬的現場実験などでその有意性が認められるものの、深度が深く、遮水構造部材が長い場合の遮水の確かさについては、継手部における遮水材の塗布の碓実性や施工状況などにより変化すると考えられる。
【００１３】
さらに、鋼管矢板の継手部にモルタルやアスファルト等の固化材を充填する遮水方法も提案されているが、上述と同様、深度が深い場合の遮水性の確かさがその施工状況との関係で決定される。
【００１４】
対象とする廃棄物処理・処分場での鉛直壁構造による遮水可否の観点から見ると、従来技術に示した強度・剛性を満たす地中壁構造では、ＲＣ連続壁構造の場合にはコンクリートのひび割れや打ち継ぎ面での管理状況に依存してその部位の透水性が大きくなることが防ぎ難く、鋼矢板連続壁では継手部の施工状況により遮水性が不確実となり、例えばＨ形鋼矢板などや鋼管矢板継手の内部にコンクリートやモルタルを充填しても、これらの収縮や壁体の曲げ変形によるひび割れ発生、さらには施工時の打ち継ぎ面の発生などにより、遮水し難い部分が局部的に生じることは免れ難い。
【００１５】
近年の遮水方法にしても、深度増加に伴い鋼矢板の継手に塗布する膨潤性遮水材の塗布状況の確かさに対する信頼性の低減や鋼矢板打設に伴う温度上昇のあり方による遮水材自身の性能の低下などのほか、遮水材として加熱して柔らかくなったアスファルト系材料を用いる際、施工深度が深くなるにつれて周辺地盤・水等による冷却によりアスファルトが施工途上に固化し、その部位より深いところに遮水性能低下領域が形成される可能性がある。
【００１６】
即ち、上記いずれの場合もどこかに遮水性能が低下する部分ができ、いわゆる「みずみち」が生じる可能性があり、その場合には地盤や充填遮水材などをそれぞれ一様とみなして平均的な解を得る解析結果と実現象とが異なり、局部的な「みずみち」からの流出量が大きくなるため、その付近での有害物質の作用が環境に関る課題となる。このため、遮水構造としての信頼性を向上する遮水材料の開発・適用やこの種の現象の検査方法の確立が望まれている。
【００１７】
また、処理・処分される廃棄物の有害物質によっては有機材料による遮水材（例えば、遮水シートなど）を透過する有害物質の存在も考えられ、遮水材に何を用いるかといった課題もある。
【００１８】
本願発明は、以上の課題を解決するためになされたもので、廃棄物処分場などにおいて、地下水とともに流出し得る有害物質を、従来程度の常識的な施工管理により確実に封鎖することができる遮水構造を提供することを目的とする。
【００１９】
【課題を解決する為の手段】
請求項１記載の遮水構造は、ウェブの両端にフランジを有する断面Ｕ字形鋼材の両端に、ウェブと平行な腕部と左右非対称の継手が設けられたハット形鋼材の継手どうしを結合してなる連続壁が二重に形成された遮水構造であって、それぞれの連続壁はウェブどうしが重なるように形成され、かつ前記二重壁内に柔な遮水材が充填され、さらに該二重壁内に外側と内側の継手部を隔てる邪魔板が配置されてなることを特徴とするものである。
【００２０】
本発明は、上述するようなハット形鋼材により形成される二重壁構造の内側に柔な遮水材を充填することにより、遮水材の透水性能に依存する遮水構造を可能とするものである。
【００２１】
この場合の鋼材としては、他に例えば両端に継手を有する直線矢板またはウェブの両端にフランジを有する断面Ｕ字形鋼材などを用いることができる。
【００２２】
また、柔な遮水材としては、二重壁の構造変形に追従し得るものであれば良く、例えばベントナイトやカオリン等を含む粘土のような土質系のもの、あるいはアスファルトを細粒化して乳化材と混練した乳化アスファルトのようなもの等を用いることができる他、常温付近で「みずみち」を生じない遮水材を用いることもできる。
【００２３】
特に本発明の場合、上述するような非対称継手を有するハット形鋼材によって連続壁が形成され、かつ連続壁は二重に配置されたハット形鋼材が、双方のウェブどうしが重なり合うように形成され、みずみちとなり得る継手部分にのみ必要量の柔な遮水材が充填されているので、通常の二重壁内に遮水材を充填した構造に比べて遮水材の充填量を大幅に低減することができる。
【００２４】
現在、自然地盤中で最も信頼される遮水材としては、厚みを有する粘性土、いわゆる粘性土層が存在し、これに対し遮水性能確保のための具体的な値として、層の厚さが５０ｃｍ以上、透水係数が１×１０-6ｃｍ／ｓｅｃ以下が示されている。また、アスファルトを遮水材として扱うためには、厚さが５ｃｍ以上、透水係数が１×１０-7ｃｍ／ｓｅｃ以下が見られる。
【００２５】
また、本発明は鋼矢板どうし、鋼矢板と鋼材、鋼管矢板や杭と鋼材の種々の組み合わせにより閉空間（閉領域）を形成し、そしてこの閉空間内に柔な遮水材として、例えばベントナイトやカオリン等を含む粘土のような土質系のもの、あるいはアスファルトを細粒化して乳化材と混錬した乳化アスファルトのようなものを充填するとともに、これら柔な遮水材が該閉空間から漏れ出さない遮水構造を提供するものである。
【００２６】
即ち、鋼材で形成された閉空間に柔な遮水材を充填するとともにこの遮水材がその閉空間から漏れ出なければ、通常、遮水可能とされる地盤中の水平粘性土層の存在に対応するような鉛直粘性土層あるいはこれに相当する厚さが５ｃｍ以上のアスファルト系遮水層が形成されることとなる。
【００２７】
より具体的には、既に鋼矢板による地中連続壁もしくは地中壁体構築用鋼製パネルとして提案されているＨ形鋼矢板や箱型鋼矢板の閉空間に柔な遮水材を充填することで成立するが、このとき形成される閉空間の一部に鋼矢板の継手部が存在する場合は、土質系遮水材が継手部から漏れ出さないように、従来の遮水方法として採用されている膨潤性遮水材を鋼矢板の継手部に塗布しておくこと等の対策を施すと良い。ここに、柔な遮水材の役割は遮水構造が何らかの理由で変形してもその変形に追従し、「みずみち」を形成しない点にある。
【００２８】
また、ここで用いられる柔な遮水材の所要深度については、対象地盤内に透水係数ｋが１×１０-6ｃｍ／ｓｅｃ以下で、厚さが５０ｃｍの粘性土層が存在する場合はその下端以深までとし、存在しない場合は対象処理地盤の表面に土質系または乳化アスファルトなどの遮水材を水平に成層させてその下端以深とする。
【００２９】
また、柔な遮水材の上端面については、対象廃棄物処理地盤の地下水面以上の水頭を持つように施工し、鋼矢板の閉空間に充填した柔な遮水材の重さにより処理地盤内の地下水の流出を防ぐものである。
【００３０】
さらに、柔な遮水材の所要厚さについては、鋼矢板と鋼材の組み合わせ方、膨潤系遮水材を塗布した遮水構造の見かけ透水係数と柔な透水材の透水係数に依存するが、組合せ鋼材で柔な遮水材を用いる場合、遮水材の透水係数に応じて適宜鋼材の設置幅を変化させて必要な遮水材の幅（水平方向厚さ）を確保するものである。
【００３１】
本発明では、柔な遮水材の充填部に遮水材とともに、さらに邪魔板を挿入することで、継手部から継手部に至る流線の長さを延長できて透水係数の調節ができる。
なお、ここで言う邪魔板とは、鋼板、木材等々、土質系遮水材中の流線を変更できるものであれば特に形状や材料を指定するものでない。
【００３２】
請求項２記載の遮水構造は、ウェブの両端にフランジを有する断面Ｕ字形鋼材の両端に、ウェブと平行な腕部と左右非対称の継手が設けられたハット形鋼材の継手どうしを結合してなる連続壁が二重に形成された遮水構造であって、それぞれの連続壁はハット形鋼材間に間隙を有するように形成され、かつ前記二重壁内に柔な遮水材が充填され、さらに該二重壁内に外側と内側の継手部を隔てる邪魔板が配置されてなることを特徴とするものである。
【００３３】
連続壁が各ハット形鋼材のウェブ間にも一定の間隙を有するように形成されていることで、結果として継手部にだけでなく連続壁の全体に柔な遮水が充填されてなる。この場合においても上述するような、非対称継手を有するハット形鋼材によって連続壁が形成されているので、対称継手を有する通常の鋼矢板材からなる二重壁内に遮水材を充填した構造に比べて遮水材の充填量を大幅に低減することができる。さらに邪魔板を挿入することで、継手部から継手部に至る流線の長さを延長できて透水係数の調節ができる。
【００３４】
請求項３記載の遮水構造は、所定間隔をおいて並べて配置された複数の鋼管と、該鋼管の並列方向に対する両側に配置される鋼材とからなり、前記鋼材による連続壁が二重に形成された遮水構造であって、前記鋼材の両端に設けられた継手と前記鋼管うち少なくとも一部の鋼管の前記並列方向に対する両側に設けた継手とが結合されており、前記鋼材と前記鋼管とによって形成された閉領域に柔な遮水材が充填されてなることを特徴とするものである。
【００３５】
二重に形成された遮水構造の内側に鋼管が並べられた形となるので、鋼管内部の量に相当する量の遮水材を低減することができる。すなわち、断面性能および遮水性を保持したまま遮水材の量を低減することができる。
【００３６】
また、鋼管どうしは連結した方が打設しやすいが、必ずしも連結する必要はない。また、連結する鋼管は隣接するものどうしでなくてもよい。鋼管の形状は丸形、角形など適宜決定すればよい。
【００３７】
請求項４記載の遮水構造は、請求項３記載の遮水構造において、二重壁内に外側と内側の継手部を隔てる邪魔板が配置されてなることを特徴とするものである。
【００３８】
請求項３記載の遮水構造の場合は、鋼管と鋼管とを連結して閉空間とするため、邪魔板は二重壁内に配置されていればよい。
【００３９】
請求項５記載の遮水構造は、請求項１、２または４記載の遮水構造において、邪魔板によって隔てられた一方の側に空洞部が形成されてなることを特徴とするもので、この空洞部を遮水構造内の観測井戸として利用することにより、止水不良による漏れを検出できる他、観測井戸に集められた浸透水の成分分析を行うことにより遮水構造の効果を定量的に把握することができる。
【００４０】
請求項６記載の遮水構造は、請求項５記載の遮水構造において、空洞部は挿入された中空の管であることを特徴とするものであり、観測井戸用の空洞部を遮水構造内に中空の管を挿入して形成することにより、必要規模の観測井戸をきわめて簡単にかつ確実に形成することができる。
【００４１】
【発明の実施の形態】
図１（ａ），（ｂ）は、本願発明が適用される遮水構造の一例を示し、図において２枚のハット形鋼材１（以下、「非対称継手付き形鋼」という）からなる複数の組合せ鋼材１Ａが地中に連接して打ち込まれ、隣接する各組合せ鋼材１Ａどうしは互いに結合され、かつ隣接する各組合せ鋼材１Ａ，１Ａ間に形成された閉領域ａ内に柔な遮水材２が充填されている。
【００４２】
各組合せ鋼材１Ａは２枚の非対称継手付き形鋼１，１を背中合わせに結合して形成され、また各非対称継手付き形鋼１はウェブ１ａの両端にフランジ１ｂ，１ｂを有する断面Ｕ字形鋼材１ｃと、その両端にウェブ１ａと平行にそれぞれ突設された腕部１ｄと、この腕部１ｄの先端にそれぞれ突設された左右非対称の継手１ｅとから形成されている。そして、２枚の非対称継手付き形鋼１は背中合わせに配置されているとともに、双方のウェブ１ａ，１ａどうしを溶接する等して一体的に結合されている。
【００４３】
こうして形成された複数の組合せ鋼材１Ａは、地中に連接して打ち込まれているとともに、隣接する各非対称継手付き形鋼１の継手１ｅどうしを互いに嵌め合わせることにより互いに結合され、少なくとも廃棄処分地側に位置する継手１ｅどうしの継手部に膨潤材（図省略）が塗布されている。
【００４４】
また、隣接する各組合せ鋼材１Ａ，１Ａ間に形成された閉領域ａ内に柔な遮水材２が充填され、こうして複数の非対称継手付き形鋼１が二重に配置され、かつ組合せ鋼材１Ａ，１Ａ間の継手部に柔な遮水材２が充填されてなる二重壁の遮水構造が構築されている。
【００４５】
この場合の柔な遮水材２としては、構造変形に追従するものであれば良く、例えばベントナイトやカオリンを含む粘土のような土質系のもの、あるいはアスファルトを細粒化して乳化材と混練した乳化アスファルトのようなものを用いることができる。なお、乳化材の代わりに上記土質系の柔な遮水材を用いることもできる。
【００４６】
施工に際しては、最初に複数の組合せ鋼材１Ａを連接して打ち込み、かつ隣接するハット形鋼材１，１の継手１ｅどうしを互いに嵌め合わせることにより、二重に配置された複数の非対称継手付き形鋼１からなる二重壁を構築する。
【００４７】
次に、組合せ鋼材１Ａ，１Ａ間の各閉領域ａ内を所定の深さまで洗浄した後、各閉領域ａ内に柔な遮水材２を充填する。
【００４８】
なお、地中に組合せ鋼矢板１Ａを打ち込む前に、予め少なくとも廃棄処分地側に位置する継手１ｅに予め膨潤材を塗布し、またその際、廃棄処分地側に位置する継手１ｅに塗布した膨潤材が、組合せ鋼材１Ａの打ち込み時の抵抗になって組合せ鋼材１Ａの打ち込みが困難となる場合には、反対側に位置する継手１ｅにも同程度の膨潤材を塗布するものとする。
【００４９】
また、各閉領域ａ内に充填された柔な遮水材２の透水係数が大きいために、二重壁の見かけ透水係数がやや大きい場合には、断面寸法の大きい非対称継手付き形鋼１からなる組合せ鋼材１Ａを用いる等して対処することにより二重壁の透水係数を小さくすることができる。
【００５０】
この場合、例えば断面寸法の大きい非対称継手付き形鋼１からなる組合せ鋼材１Ａを用いることにより、各閉領域ａの容積が増して柔な遮水材２の充填厚が増すため、二重壁の透水係数を小さくすることができる。
【００５１】
図１（ｃ）は、本願の請求項１に係る発明の実施形態を示したもので、組合せ鋼材１Ａの断面寸法が小さいとか、あるいは柔な遮水材２の透水係数が大きい等の理由により、二重壁の見かけ透水係数がやや大きい場合の対処方法であり、各組合せ鋼材１Ａ，１Ａ間の閉領域ａ内に遮水材２が充填され、かつ邪魔板３が挿入されている。
【００５２】
このように構成されていることにより、柔な遮水材２の透水距離（邪魔板３の両側に位置する継手部間の距離）が長くなるため、二重壁の見かけ透水係数は小さくなる。以上の構成により、いずれの場合も所要の透水係数を満足させることができる。この邪魔板の設置位置、大きさは適宜決定すればよい。
【００５３】
なお、各組合せ鋼材１Ａの、背中合せに配置された二枚の非対称継手付き形鋼１どうしを結合しないで、各非対称継手付き形鋼１を個別に打設することもでき、こうすることで二カ所の継手１ｅを同時に嵌め合わせて打設する組合せ鋼材１Ａの場合と違って、非対称継手付き形鋼１を従来の矢板打設法によって容易に打ち込むことができるため、施工効率が大幅に向上し、また継手部に膨潤材を塗布する必要もない。
【００５４】
図２（ａ），（ｂ）は本願の請求項２に係る発明が適用される遮水構造の例を示し、図において水平に配置された導材４の両側にそれぞれ、複数の非対称継手付き形鋼１が連接して打ち込まれ、隣接する各非対称継手付き形鋼１どうしは双方の継手１ｅどうしを嵌め合わせることで互いに結合され、こうして導材４を間に介在して複数の非対称継手付き形鋼１からなる二重壁が形成されている。そして、二重壁間に柔な遮水材２が充填されている。この二重壁内に、さらに外側と内側の継手部を隔てる邪魔板を配置することで、請求項２に係る遮水構造となる。
【００５５】
この場合の導材４は、非対称継手付き形鋼１を打ち込む際の、特に非対称継手付き形鋼１，１間の間隔ｗを一定に保持するための定規（ガイド）的な働きをなすものであり、この導材４が配置されていることで非対称継手付き形鋼１を所定の間隔ｗを保持しつつ鉛直に打ち込むことができるため、柔な遮水材２の充填厚を設計どおりに保持できて高い止水性を確保することができる。
【００５６】
なお、この場合の導材４にはＨ形鋼や溝形鋼などの鋼材が用いられ、また二重壁間に柔な遮水材２の透水係数に見合った間隔を保持し得る幅の導材４が用いられている。
【００５７】
施工に際しては、最初に導材４を水平に配置する。次に導材４の片側に複数の非対称継手付き形鋼１を打ち込み、かつ隣接する非対称継手付き形鋼１，１の継手１ｅどうしを互いに嵌め合わせることにより連続壁を形成する。
【００５８】
次に、導材４の反対側にも、同様に複数の非対称継手付き形鋼１を打ち込み、こうして導材４の両側に複数の非対称継手付き形鋼１からなる二重壁をそれぞれ構築する。そして、二重壁間を所定の深さまで洗浄した後、その中に柔な遮水材２を充填する。
【００５９】
図３（ａ）〜（ｇ）は同じく、本願の請求項３に係る遮水構造の実施形態を示し、図３（ａ）の例においては、複数の継手付き鋼管５が地中に所定間隔おきに連接して打ち込まれている。また、隣接する継手付き鋼管５，５間の両側に、遮水鋼材として平面円弧状に形成された遮水鋼板６がそれぞれ配置されている。
【００６０】
各遮水鋼板６と継手付き鋼管５とは、遮水鋼板６の両端部に突設されたＬ形継手６ａと継手付き鋼管５の側面部に突設されたリップ付きＴ形継手５ａとを互いに嵌め合わせることにより結合されている。
【００６１】
そして、継手付き鋼管５，５と遮水鋼板６とからなる閉領域ａ内に遮水材２が充填されている。この場合のリップ付きＴ形継手５ａとＬ形継手６ａは継手付き鋼管５および遮水鋼板６の上下方向に連続して形成されている。
【００６２】
なお、図３（ｂ）の例においては、各継手付き鋼管５の側面部にリップ付きＴ形継手の代わりとしてリップ付きＩ形継手５ｂが突設されており、その他の構成は図３（ａ）に示した例と同じである。
【００６３】
また、図３（ｃ）の例においては、複数の継手付き鋼管５が地中に所定間隔おきに連接して打ち込まれ、かつ隣接する各継手付き鋼管５，５間に鋼管（または杭）７が打ち込まれている。
【００６４】
また、継手付き鋼管５，５間の両側に、遮水鋼材として平面円弧状に形成された遮水鋼板６がそれぞれ配置されている。各遮水鋼板６と各継手付き鋼管５とは、遮水鋼板６の両端部に突設されたＬ形継手６ａと継手付き鋼管５の側面部に突設されたリップ付きＴ形継手５ａとを互いに嵌め合わせることにより結合されている。
【００６５】
そして、継手付き鋼管５，５と遮水鋼板６とからなる閉領域ａ内に遮水材２が充填されている。なお、この場合のリップ付きＴ形継手５ａとＬ形継手６ａは継手付き鋼管５および遮水鋼板６の上下方向に連続して形成されている。
【００６６】
なお、図３（ｄ）の例においては、継手付き鋼管５の側面部にリップ付きＴ形継手の代わりとしてリップ付きＩ形継手５ｂが突設されており、その他の構成は図３（ｃ）に示した例と同じである。
【００６７】
【発明の効果】
本願発明によれば、廃棄物処分場が例えば海上埋立地の場合などのように、個々の工事の施工とその管理が気象・海象条件により左右される場合でも、地下水とともに流出し得る有害物質を、従来程度の常識的な施工管理により遮水構造および海底地盤内の粘性土層または造海底面上の造成遮水層とによりほぼ完全に封鎖することができる。
【００６８】
また特に、請求項１記載の遮水構造によれば、上述するような非対称継手を有する非対称継手付き形鋼によって連続壁が形成され、かつ連続壁は二重に配置された非対称継手付き形鋼が、双方のウェブどうしが重なり合うように形成され、水道となり得る継手部分にのみ必要量の柔な遮水材が充填されているので、対称継手を有する通常の鋼矢板材からなる通常の二重壁内に遮水材を充填した構造に比べて遮水材の充填量を大幅に低減できる等の効果がある。
【００６９】
さらに、請求項１記載の遮水構造によれば、二重壁内に外側と内側の継手部を隔てる邪魔板が配置されていることで、継手部から継手部に至る流線の長さを延長できて透水係数の調節ができる等の効果を有する。
【００７０】
請求項２記載の遮水構造によれば、連続壁が各非対称継手付き形鋼のウェブ間にも一定の間隙を有するように形成され、結果として非対称継手付き形鋼どうしの継手部にだけでなく連続壁の全体に柔な遮水が充填されてなるので、遮水性をより確実なものとすることができ、またこの場合においても、上述するような非対称継手を有する非対称継手付き形鋼によって連続壁が形成されているので、通常の鋼矢板材からなる二重壁内に遮水材を充填した構造に比べて遮水材の充填量を大幅に低減することができる。
【００７１】
また、請求項２の遮水構造の場合も、二重壁内に外側と内側の継手部を隔てる邪魔板が配置されていることで、継手部から継手部に至る流線の長さを延長できて透水係数の調節ができる等の効果を有する。
【００７２】
請求項３記載の遮水構造は、両端に継手を有する鋼材によって形成される二重壁がその内部に位置する複数の鋼管と結合されていることで、鋼管内部の量に相当する量の遮水材を低減することができる。すなわち、断面性能および遮水性を保持したまま遮水材の量を低減することができる。
【００７３】
請求項４記載の遮水構造によれば、二重壁内に外側と内側の継手部を隔てる邪魔板が配置されていることで、継手部から継手部に至る流線の長さを延長できて透水係数の調節ができる等の効果を有する。
【００７４】
請求項５記載の遮水構造によれば、邪魔板によって隔てられた一方の側に空洞部が形成されてなるので、この空洞部を遮水構造内の観測井戸として利用することにより、止水不良による漏れを検出できる他、観測井戸に集められた浸透水の成分分析を行うことにより遮水構造の効果を定量的に把握することができる等の効果を有する。
【００７５】
請求項６記載の遮水構造によれば、観測井戸用の空洞部を遮水構造内に中空の管を挿入して形成することにより、必要規模の観測井戸をきわめて簡単にかつ確実に形成することができる等の効果を有する。
【図面の簡単な説明】
【図１】  組合せ鋼材と柔な遮水材とによる遮水構造の例を示し、（ａ），（ｃ）はその断面図、（ｂ）は組合せ鋼材の断面図である。
【図２】  非対称継手付き形鋼と導材と柔な遮水材とによる遮水構造の他の例を示し、（ａ）はその断面図、（ｂ）は非対称継手付き形鋼の断面図である。
【図３】  継手付き鋼管と遮水鋼板と柔な遮水材とによる遮水構造の例を示し、（ａ），（ｂ），（ｃ），（ｄ）はその断面図、（ｅ），（ｆ）は継手付き鋼管の断面図、（ｇ）は遮水鋼板の断面図である。
【図４】  廃棄物埋立処分場向け遮水構造例を示す縦断面図である。
【図５】  鋼管矢板を用いた遮水構造例を示す横断面図である。
【図６】  鋼矢板を用いた遮水構造例を示す横断面図である。
【図７】  組合せ矢板を用いた遮水構造例を示す横断面図である。
【図８】  （ａ）は遮水用鋼矢板を用いた遮水構造例を示す横断面図、（ｂ）は遮水用鋼矢板の横断面図である。
【符号の説明】
１ 非対称継手付き形鋼（ハット形鋼材）
１Ａ 組合せ鋼材
２ 柔な遮水材
１ａ ウェブ
１ｂ フランジ
１ｃ 断面Ｕ字形鋼材
１ｄ 腕部
１ｅ 継手
２ 柔な遮水材
３ 邪魔板
４ 導材
５ 継手付き鋼管
５ａ リップ付きＴ形継手
５ｂ リップ付きＩ形継手
６ 遮水鋼板（鋼材）
６ａ Ｌ形継手
７ 鋼管（または杭）
【図１】
0003832348.tif 000002
【図２】
0003832348.tif 000003
【図３】
0003832348.tif 000004
【図４】
0003832348.tif 000005
【図５】
0003832348.tif 000006
【図６】
0003832348.tif 000007
【図７】
0003832348.tif 000008
【図８】
0003832348.tif 000009